【手続補正書】
【提出日】平成26年11月10日(2014.11.10)
【手続補正１】
【補正対象書類名】特許請求の範囲
【補正対象項目名】全文
【補正方法】変更
【補正の内容】
【特許請求の範囲】
【請求項１】
構成したネットワークを制御する制御装置として動作する通信制御機能と当該通信制御機能以外の機器機能とを有する通信装置であって、
前記通信制御機能により、前記制御装置として動作している際に前記機器機能の動作を行う場合、前記機器機能を前記通信制御機能より優先させるかを判定する判定手段と、
前記判定手段により、前記機器機能を前記通信制御機能より優先させると判定された場合、前記機器機能を前記通信制御機能より優先させて動作させるよう制御する制御手段とを有することを特徴とする通信装置。
【請求項２】
前記判定手段は、前記通信装置の処理負荷、電源の電力残量、前記機器機能の種別、またはユーザの操作の少なくとも何れか一つに基づいて、前記機器機能を前記通信制御機能より優先させるかを判定することを特徴とする請求項１記載の通信装置。
【請求項３】
前記制御手段は、前記通信制御機能を終了させることで前記機器機能を前記通信制御機能より優先させて動作させる制御を行うことを特徴とする請求項１または２に記載の通信装置。
【請求項４】
前記制御手段は、前記通信制御機能を省電力モードに移行させることで前記機器機能を前記通信制御機能より優先させて動作させる制御を行うことを特徴とする請求項１または２に記載の通信装置。
【請求項５】
前記制御手段による制御を行った後に、前記機器機能の動作の終了を判断する判断手段と、
前記判断手段により前記機器機能による動作が終了したと判断された場合、前記通信制御機能により前記制御装置としての動作を再開する再開手段とを更に有することを特徴とする請求項１乃至４何れか１項に記載の通信装置。
【請求項６】
前記再開手段により前記通信制御機能により前記制御装置としての動作を再開する際、前記制御手段により前記通信制御機能を終了させる制御を行う前に、構築していたネットワークに接続していた他の通信装置に対して、該ネットワークに復帰するかを問合せる問合せ手段と、
前記制御手段は、前記問合せ手段による問合せの結果に応じて、制御装置としての動作を再終了する制御を行うことを特徴とする請求項５記載の通信装置。
【請求項７】
前記制御手段は、前記通信装置が前記形成した無線ネットワークに接続する他の通信装置と通信中であっても、前記判定手段による判定に応じて、前記構成した無線ネットワークを終了するよう制御する請求項１乃至４何れか１項に記載の通信装置。
【請求項８】
構成したネットワークを制御する制御装置として動作する通信制御機能と当該通信制御機能以外の機器機能とを有する通信装置であって、
前記通信制御機能により、前記制御装置として動作し、かつ、前記機器機能が動作している際に、前記通信装置に記録媒体を着脱するためのユーザ操作、前記通信装置のバッテリの蓋のユーザ操作、通信モード以外のモードへの切替えを指示するユーザ操作の少なくとも何れか一つを検出する検出手段と、
前記検出手段により検出に応じて、前記通信制御機能の動作を終了する第１の終了手段を有することを特徴とする記載の通信装置。
【請求項９】
前記検出手段の検出に応じて、前記機器機能を終了することを特徴とする第２の終了手段を有することを特徴とする請求項８に通信装置。
【請求項１０】
前記第１の終了手段により前記制御装置として動作が終了した後に、前記機器機能の動作が再開された場合、前記通信制御機能による前記制御装置としての動作を再開する再開手段とを更に有することを特徴とする請求項８または９に記載の通信装置。
【請求項１１】
前記再開手段により前記通信制御機能により前記制御装置としての動作を再開する際、前記制御手段により前記通信制御機能を終了させる制御を行う前に、構築していたネットワークに接続していた他の通信装置に対して、該ネットワークに復帰するかを問合せる問合せ手段と、
前記第１の終了手段は、前記問合せ手段による問合せの結果に応じて、制御装置としての動作を再終了する制御を行うことを特徴とする請求項１０記載の通信装置。
【請求項１２】
前記通信装置は画像を撮像する撮像装置であり、前記制御装置は、ＩＥＥＥ８０２．１１シリーズに準拠したアクセスポイントであることを特徴とする請求項１乃至１１何れか１項に記載の通信装置。
【請求項１３】
撮像装置であって、
アクセスポイントとして動作する通信制御手段と、
撮像手段と、
前記アクセスポイントとして動作している際に、前記撮像手段による撮像を指示するためのレリーズスイッチに対するユーザ操作を検出する検出手段と、
前記レリーズスイッチに対する操作が前記検出手段により検出された場合、前記アクセスポイントとしての動作を終了する終了手段とを有することを特徴とする撮像装置。
【請求項１４】
前記検出手段による検出が行われた場合、前記アクセスポイントとしての動作を終了するための所定の条件を満たすことを判定する判定手段を有し、
前記終了手段は、前記判定手段により前記所定の条件を満たすことが判定された場合、前記アクセスポイントとしての動作を終了することを特徴とする請求項１３に記載の撮像装置。
【請求項１５】
前記判定手段は、前記検出手段により検出された前記レリーズスイッチに対する操作に応じて、連写撮影または特殊撮影を実行する場合、前記所定の条件を満たすと判定すること特徴とする請求項１３または１４に記載の撮像装置。
【請求項１６】
前記終了手段により前記アクセスポイントとしての動作を終了する場合、アクセスポイントとしての動作を終了する旨のメッセージを通知する通知手段を有することを特徴とする請求項１３乃至１５何れか１項に記載の撮像装置。
【請求項１７】
前記アクセスポイントは、ＩＥＥＥ８０２．１１シリーズに準拠したアクセスポイントであることを特徴とする請求項１１乃至１６記載の撮像装置。
【請求項１８】
構成したネットワークを制御する制御装置として動作する通信制御機能と当該通信制御機能以外の機器機能とを有する通信装置の制御方法であって、
前記通信制御機能により、前記制御装置として動作している際に前記機器機能の動作を行う場合、前記機器機能を前記通信制御機能より優先させるかを判定する判定工程と、
前記判定工程において、前記機器機能を前記通信制御機能より優先させると判定された場合、前記機器機能を前記通信制御機能より優先させて動作させるよう制御する制御工程とを有することを特徴とする通信装置の制御方法。
【請求項１９】
構成したネットワークを制御する制御装置として動作する通信制御機能と当該通信制御機能以外の機器機能とを有する通信装置の制御方法であって、
前記通信制御機能により、前記制御装置として動作し、かつ、前記機器機能が動作している際に、前記通信装置に記録媒体を着脱するためのユーザ操作、前記通信装置のバッテリの蓋のユーザ操作、通信モード以外のモードへの切替えを指示するユーザ操作の少なくとも何れか一つを検出する検出工程と、
前記検出工程においての検出に応じて、前記通信制御機能の動作を終了する第１の終了工程を有することを特徴とする通信装置の制御方法。
【請求項２０】
アクセスポイントとして動作する通信制御手段と、撮像手段とを有する撮像装置の制御方法であって、
前記アクセスポイントとして動作している際に、前記撮像手段による撮像を指示するためのレリーズスイッチに対するユーザ操作が検出された場合、前記アクセスポイントとしての動作を終了することを特徴とする撮像装置の制御方法。
【請求項２１】
請求項１８乃至２０の何れか１項に記載の制御方法をコンピュータに実行させるためのプログラム。
【手続補正２】
【補正対象書類名】明細書
【補正対象項目名】発明の名称
【補正方法】変更
【補正の内容】
【発明の名称】通信装置、通信装置の制御方法、撮像装置、撮像装置の制御方法、プログラム